【手続補正書】
【提出日】平成18年1月25日(2006.1.25)
【手続補正１】
【補正対象書類名】明細書
【補正対象項目名】発明の名称
【補正方法】変更
【補正の内容】
【発明の名称】電圧監視回路、及び制御システム
【手続補正２】
【補正対象書類名】明細書
【補正対象項目名】特許請求の範囲
【補正方法】変更
【補正の内容】
【特許請求の範囲】
【請求項１】  電源電圧を監視する電圧監視回路において、
各々に異なる監視電圧が設定され、該監視電圧に基づいて前記電源電圧を監視
して正常か否かの信号を出力する複数の電圧検知手段と、
監視電圧の設定を切り替えるための監視電圧設定切替手段と、
該監視電圧設定切替手段の状態を検知する設定状態検知手段と、
該設定状態検知手段により検知された前記監視電圧設定切替手段の状態に基づ
いて、該状態に対応する監視電圧が設定された電圧検知手段を選択するように切
り替える電圧検知手段切替手段とを備えていることを特徴とする電圧監視回路。
【請求項２】  前記電圧検知手段が、前記電源電圧を分圧する分圧抵抗と、
該分圧抵抗による分圧値を所定の基準電圧と比較する比較手段とを含んで構成さ
れていることを特徴とする請求項１記載の電圧監視回路。
【請求項３】  電源電圧を監視する電圧監視回路において、
異なる監視電圧の設定が可能で、これら監視電圧に基づいて前記電源電圧を監
視して正常か否かの信号を出力する電圧検知手段と、
監視電圧の設定を切り替えるための監視電圧設定切替手段と、
該監視電圧設定切替手段の状態を検知する設定状態検知手段と、
該設定状態検知手段により検知された前記監視電圧設定切替手段の状態に基づ
いて、前記電圧検知手段の監視電圧を切り替える監視電圧切替手段とを備えてい
ることを特徴とする電圧監視回路。
【請求項４】  前記電圧検知手段が、前記電源電圧を分圧するとともに監視
電圧を変えるための分圧抵抗と、該分圧抵抗による分圧値を所定の基準電圧と比
較する比較手段とを含んで構成され、
前記監視電圧切替手段が、前記分圧抵抗の抵抗値を切り替えるものであること
を特徴とする請求項３記載の電圧監視回路。
【請求項５】  前記電圧検知手段が、動作電圧が異なる複数の動作モードを
有するマイクロコンピュータへ供給される電源電圧の監視を行うものであり、
前記監視電圧が、前記複数の動作モードに対応して設定されていることを特徴
とする請求項１〜４のいずれかの項に記載の電圧監視回路。
【請求項６】  前記監視電圧が、前記マイクロコンピュータの通常動作を行
う通常動作モードと、前記マイクロコンピュータに内蔵された書き換え可能な記
憶手段のデータ書き換え動作を行う書換動作モードとに対応して設定されている
ことを特徴とする請求項５記載の電圧監視回路。
【請求項７】  前記電圧検知手段が、前記マイクロコンピュータをリセット
させるリセット信号を出力するリセット信号出力手段に接続されていることを特
徴とする請求項５又は請求項６記載の電圧監視回路。
【請求項８】 監視電圧に基づいて電源電圧を監視して正常か否かの信号を
出力する電圧検知手段と、
マイクロコンピュータの動作モードを切り替える動作モード切替設定手段と、
該動作モード切替設定手段の状態を検知する設定状態検知手段と、
該設定状態検知手段により検知された前記動作モード切替設定手段の状態に基
づいて、前記監視電圧を切り替える監視電圧切替手段とを備えていることを特徴
とする電圧監視回路。 
【請求項９】 動作電圧が異なる複数の動作モードを有するマイクロコンピ
ュータと、
監視電圧に基づいて電源電圧を監視して正常か否かの信号を出力する電圧検知
手段、前記マイクロコンピュータの動作モードを切り替える動作モード切替設定
手段、該動作モード切替設定手段の状態を検知する設定状態検知手段、及び該設
定状態検知手段により検知された前記動作モード切替設定手段の状態に基づいて
、前記監視電圧を切り替える監視電圧切替手段を備えた電圧監視回路とを含んで
構成されていることを特徴とする制御システム。
【請求項１０】 動作電圧が異なる複数の動作モードを有するマイクロコン
ピュータと、
データの書き換え可能な記憶手段と、
前記マイクロコンピュータの通常動作を行う通常動作モードと前記記憶手段の
データ書き換え動作を行う書換動作モードとに対応して設定されている監視電圧
に基づいて電源電圧を監視して正常か否かの信号を出力する電圧検知手段、前記
マイクロコンピュータの動作モードを切り替える動作モード切替設定手段、該動
作モード切替設定手段の状態を検知する設定状態検知手段、及び該設定状態検知
手段により検知された前記動作モード切替設定手段の状態に基づいて、前記監視
電圧を切り替える監視電圧切替手段を備えた電圧監視回路とを含んで構成されて
いることを特徴とする制御システム。
【手続補正３】
【補正対象書類名】明細書
【補正対象項目名】０００１
【補正方法】変更
【補正の内容】
【０００１】
【発明の属する技術分野】
本発明は電圧監視回路、及び制御システムに関し、より詳細にはマイクロコン
ピュータ（以下、マイコンと記す）などに供給される電源電圧等を監視する電圧
監視回路、及び制御システムに関する。                                    
【手続補正４】
【補正対象書類名】明細書
【補正対象項目名】００１３
【補正方法】変更
【補正の内容】
【００１３】
本発明は上記課題に鑑みなされたものであって、設定状態にあった監視電圧で
電源電圧の異常を適切に監視することができ、マイコンが有する各種動作モード
に対応した監視電圧でマイコンへ供給される電源電圧の異常を適切に監視するこ
とができ、また、マイコンへの無駄なリセット出力をなくして、マイコンが行う
各種制御の遅れを防止することのできる電圧監視回路、及び制御システムを提供
することを目的としている。
【手続補正５】
【補正対象書類名】明細書
【補正対象項目名】００２６
【補正方法】変更
【補正の内容】
【００２６】
上記電圧監視回路（７）によれば、前記電圧検知手段から異常検知信号を前記
リセット信号出力手段へ出力することができ、各動作モードにおける電源電圧の
異常時に前記マイコンにリセットをかけることができる。したがって、各動作モ
ードの正常状態へ自動的に復帰させることができる。また、他の動作モードの監
視電圧の影響を受けないので、前記マイコンへの無駄なリセット出力をなくすこ
とができ、前記マイコンが行う各種制御の遅れを防止することができる。
また本発明に係る電圧監視回路（８）は、監視電圧に基づいて電源電圧を監視
して正常か否かの信号を出力する電圧検知手段と、マイクロコンピュータの動作
モードを切り替える動作モード切替設定手段と、該動作モード切替設定手段の状
態を検知する設定状態検知手段と、該設定状態検知手段により検知された前記動
作モード切替設定手段の状態に基づいて、前記監視電圧を切り替える監視電圧切
替手段とを備えていることを特徴としている。 
上記電圧監視回路（８）によれば、前記設定状態検知手段により検知された前
記動作モード切替設定手段の状態に基づいて、前記監視電圧が切り替えられるの
で、前記動作モード切替設定手段の状態に応じた監視電圧で前記電源電圧の異常
を監視することができ、他の動作モードの監視電圧の影響を受けることなく適正
な監視電圧で電源電圧の異常を監視することができる。
また本発明に係る制御システム（１）は、動作電圧が異なる複数の動作モード
を有するマイクロコンピュータと、監視電圧に基づいて電源電圧を監視して正常
か否かの信号を出力する電圧検知手段、前記マイクロコンピュータの動作モード
を切り替える動作モード切替設定手段、該動作モード切替設定手段の状態を検知
する設定状態検知手段、及び該設定状態検知手段により検知された前記動作モー
ド切替設定手段の状態に基づいて、前記監視電圧を切り替える監視電圧切替手段
を備えた電圧監視回路とを含んで構成されていることを特徴としている。
上記制御システム（１）によれば、前記設定状態検知手段により検知された前
記動作モード切替設定手段の状態に基づいて、前記監視電圧が切り替えられるの
で、前記動作モード切替設定手段の状態に応じた監視電圧で前記電源電圧の異常
を監視することができ、他の動作モードの監視電圧の影響を受けることなく適正
な監視電圧で前記マイコンへ供給される電源電圧の異常を監視することができる
制御システムを実現することができる。
また本発明に係る制御システム（２）は、動作電圧が異なる複数の動作モード
を有するマイクロコンピュータと、データの書き換え可能な記憶手段と、前記マ
イクロコンピュータの通常動作を行う通常動作モードと前記記憶手段のデータ書
き換え動作を行う書換動作モードとに対応して設定されている監視電圧に基づい
て電源電圧を監視して正常か否かの信号を出力する電圧検知手段、前記マイクロ
コンピュータの動作モードを切り替える動作モード切替設定手段、該動作モード
切替設定手段の状態を検知する設定状態検知手段、及び該設定状態検知手段によ
り検知された前記動作モード切替設定手段の状態に基づいて、前記監視電圧を切
り替える監視電圧切替手段を備えた電圧監視回路とを含んで構成されていること
を特徴としている。
上記制御システム（２）によれば、前記マイコンにおける前記通常動作モード
と前記書換動作モードとに対応して設定されている監視電圧で前記マイコンへ供
給される電源電圧の異常を監視することができる。すなわち前記通常動作モード
においては、該通常動作モードに対応した電源電圧の監視を行うことができ、前
記書換動作モードにおいては、該書換動作モードに対応した電源電圧の監視を行
うことができ、異なる動作モードの監視電圧の影響を受けることなく適正な監視
電圧で前記マイコンへ供給される電源電圧の異常を監視することができる制御シ
ステムを実現することができる。
【手続補正６】
【補正対象書類名】明細書
【補正対象項目名】００２７
【補正方法】変更
【補正の内容】
【００２７】
【発明の実施の形態】
以下、本発明に係る電圧監視回路、及び制御システムの実施の形態を図面に基
づいて説明する。図１は、実施の形態（１）に係る電圧監視回路が組み込まれた
マイコン監視装置及びその周辺回路の構成を示したブロック図である。